(57)【要約】      （修正有）【課題】サブキャリア群のＷＬＡＮ  ＯＦＤＭＡ設計およびフレームフォーマットのためのシステムおよび方法を提供する。【解決手段】サブキャリア群を複数の対応するユーザに割り当てるステップと、対応するユーザに対するサブキャリア群のマップをユーザに通知するステップとをさらに含む。事前に定義された分類構造によると、サブキャリア群の一つ一つは複数の連続サブキャリア、複数の不連続サブキャリアまたは決定論的な構造に従って連続サブキャリアと不連続サブキャリアとの組み合わせを含む。マップは、OFDMA通信を使用しないレガシーユーザを沈黙させるように構成されたレガシープリアンブル部分、マップを示すOFDMAプリアンブル部分およびデータ部分を有するOFDMA PPDUを使用して通知される。【選択図】なし【特許請求の範囲】
【請求項１】
ネットワーク構成要素によって、無線ローカルエリアネットワーク（WLAN）における直交周波数分割多元接続（OFDMA）通信のためにユーザにサブキャリアを供給するための方法であって、前記方法は、
OFDMA送信のための複数のサブキャリアを複数のサブキャリア群に分類するステップであって、前記分類および前記サブキャリア群は、サブキャリアのための事前に定義された分類構造に従う、ステップと、
前記サブキャリア群を複数の対応するユーザに割り当てるステップと、
前記対応するユーザに対する前記サブキャリア群のマップを前記ユーザに通知するステップと
を含む方法。
【請求項２】
前記事前に定義された分類構造によると、前記サブキャリア群の一つ一つは複数の連続サブキャリアを含む、請求項１に記載の方法。
【請求項３】
前記事前に定義された分類構造によると、前記サブキャリア群の一つ一つには連続サブキャリアがない、請求項１に記載の方法。
【請求項４】
前記事前に定義された分類構造によると、前記サブキャリア群のうちの少なくとも１つは、決定論的な構造に従って連続サブキャリアと不連続サブキャリアとの組み合わせを含む、請求項１に記載の方法。
【請求項５】
前記事前に定義された分類構造によると、前記サブキャリア群の一つ一つは、同じ数のサブキャリアを含む、請求項１に記載の方法。
【請求項６】
前記事前に定義された分類構造によると、前記サブキャリア群の少なくともいくつかは、異なる数のサブキャリアを含む、請求項１に記載の方法。
【請求項７】
前記事前に定義された分類構造によると、前記サブキャリア群の一つ一つにおける前記サブキャリアは、同じ数の他のサブキャリアによって埋め合わせられる、請求項１に記載の方法。
【請求項８】
前記マップは、OFDMA通信を使用しないユーザを沈黙させるように構成された第１プリアンブル部分、前記マップを示すOFDMAプリアンブル部分およびデータ部分を有するOFDMA物理層（PHY）プロトコルデータ単位（PPDU）を使用して通知される、請求項１に記載の方法。
【請求項９】
前記データ部分は、前記WLANにおけるアクセスポイント（AP）またはOFDMAリソースを管理するためのOFDMA調整機能（OCF）によって決定される最大長を有し、前記データ部分は任意でパディングを含む、請求項８に記載の方法。
【請求項１０】
前記OFDMAプリアンブルは、前記対応するユーザに対する前記サブキャリア群の前記マップを示す信号（SIG）フィールドと、同期情報を提供するショートトレーニングフィールド（STF）と、チャネル推定情報を提供するロングトレーニングフィールド（LTF）とを有する、請求項８に記載の方法。
【請求項１１】
前記SIGフィールドは、前記ユーザの定義された順序によって群を示す群IDであり、且つ前記群IDと関連付けられたサブキャリア群の順序をさらに示す前記群IDを含む、OFDMAマッピングフィールドを有し、前記ユーザの前記定義された順序は、サブキャリア群の前記順序に一対一にマッピングされる、請求項１０に記載の方法。
【請求項１２】
前記第１プリアンブルは、前記OFDMAプリアンブルとは異なる高速フーリエ変換（FFT）フレームサイズを有する、請求項８に記載の方法。
【請求項１３】
前記マップは、前記ユーザ、前記ユーザの１つに割り当てられた前記サブキャリア群を示すサブキャリア群インデックスおよび任意でサブキャリア変調および符号化情報のうちの１つを示す局IDを有するOFDMAマッピング情報要素（IE）を使用して通知される、請求項１に記載の方法。
【請求項１４】
前記サブキャリアを前記サブキャリア群に分類するステップは、
前記サブキャリアを前記サブキャリア群に割り当てるステップと、
前記サブキャリアの前記割り当てを能力要素内の前記ユーザに伝達するステップと
を含む、請求項１に記載の方法。
【請求項１５】
ネットワーク構成要素によって、無線ローカルエリアネットワーク（WLAN）における直交周波数分割多元接続（OFDMA）通信のためにユーザにサブキャリアを割り当てるための方法であって、前記方法は、
サブキャリア群のための定義された、および決定論的な分類構造に従って、複数のサブキャリア群を複数局（STA）に対して確立するステップと、
前記サブキャリア群を前記STAに割り当てるステップと、
複数のユーザ群を確立するステップであって、前記ユーザ群の一つ一つが前記STAの順序を表す、ステップと、
前記割り当てられたサブキャリア群を前記ユーザ群のうちの1つのユーザ群と関連付けるステップと、
前記ユーザ群による前記割り当てられたサブキャリア群の順序を前記STAに送信するステップであって、前記ユーザ群の前記STAの前記順序は前記割り当てられたサブキャリア群の前記順序に一対一にマッピングされる、ステップと
を有する、方法。
【請求項１６】
前記ユーザ群の一つ一つは、最大数のSTAまで含み、前記最大数のSTAは前記サブキャリア群の合計数と等しい、請求項１５に記載の方法。
【請求項１７】
前記STAの前記順序は、同じSTAの複数の出現を含む、請求項１５に記載の方法。
【請求項１８】
無線ローカルエリアネットワーク（WLAN）における直交周波数分割多元接続（OFDMA）通信のためにユーザにサブキャリアを供給するためのネットワーク構成要素であって、前記ネットワーク構成要素は、
プロセッサと、
前記プロセッサによって実行するためのプログラムを記憶するコンピュータ可読記憶媒体と
を有し、前記プログラムは、
OFDMA送信のための複数のサブキャリアを複数のサブキャリア群に分類するための命令であって、前記分類および前記サブキャリア群の一つ一つは、サブキャリアのための事前に定義された分類構造に従う、命令と、
前記サブキャリア群を複数の対応するユーザに割り当てるための命令と、
前記対応するユーザに対する前記サブキャリア群のマップを前記ユーザに通知するための命令と
を含む、ネットワーク構成要素。
【請求項１９】
前記事前に定義された分類構造によると、前記サブキャリア群の一つ一つは複数の連続サブキャリア、複数の不連続サブキャリアまたは決定論的な構造に従って連続サブキャリアと不連続サブキャリアとの組み合わせを含む、請求項１８に記載のネットワーク構成要素。
【請求項２０】
前記プログラムは、
複数のユーザ群を確立するための命令であって、前記ユーザ群の一つ一つが前記ユーザの順序を表す、命令と、
前記割り当てられたサブキャリア群を前記ユーザ群のうちの1つのユーザ群と関連付けるための命令と
をさらに含み、
前記対応するユーザに対する前記サブキャリア群の前記マップは、前記ユーザ群と前記割り当てられたサブキャリア群の順序とを示す群IDを含み、前記ユーザ群の前記ユーザの前記順序は、前記割り当てられたサブキャリア群の前記順序に一対一にマッピングされる、
請求項１８に記載のネットワーク構成要素。
【請求項２１】
無線ローカルエリアネットワーク（WLAN）における直交周波数分割多元接続（OFDMA）通信をサポートするユーザデバイスによる方法であって、前記方法は、
OFDMA送信のための複数の対応するサブキャリアを分類する複数のサブキャリア群の指示を受信するステップであって、前記サブキャリア群の一つ一つは1つ以上の前記サブキャリアを有する、ステップと、
前記サブキャリア群のうちの1つの前記ユーザデバイスへの割り当てを受信するステップと、
前記ユーザデバイスへ割り当てられた前記サブキャリア群のうちの1つに属する1つ以上のサブキャリア上のOFDMA送信を交換するステップと
を含む方法。
【請求項２２】
前記サブキャリア群のうちの1つの前記ユーザデバイスへの前記割り当てを受信するステップは、複数の対応するユーザデバイスに対する前記サブキャリア群のマップを示すOFDMAプリアンブル部分を有するOFDMA物理層（PHY）プロトコルデータ単位（PPDU）を受信するステップを含む、請求項２１に記載の方法。
【請求項２３】
前記OFDMA PPDUは、ユーザデバイスの定義された順序によって群を示す群IDであり、且つ前記群IDと関連付けられた前記サブキャリア群の順序をさらに示す前記群IDを含む、OFDMAマッピングフィールドを有し、前記ユーザデバイスの前記定義された順序は、前記サブキャリア群の前記順序に一対一にマッピングされる、請求項２２に記載の方法。
【請求項２４】
前記サブキャリア群のうちの1つの前記ユーザデバイスへの前記割り当てを受信するステップは、前記ユーザデバイスと前記ユーザデバイスに割り当てられた前記サブキャリア群を示すサブキャリア群インデックスとを示す局IDを有するOFDMAマッピング情報要素（IE）を受信するステップを含む、請求項２１に記載の方法。
【請求項２５】
無線ローカルエリアネットワーク（WLAN）における直交周波数分割多元接続（OFDMA）通信をサポートするユーザデバイスであって、前記ユーザデバイスは、
プロセッサと、
前記プロセッサによって実行するためのプログラムを記憶するコンピュータ可読記憶媒体と
を有し、前記プログラムは、
OFDMA送信のための複数の対応するサブキャリアを分類する複数のサブキャリア群の指示を受信するための命令であって、前記サブキャリア群の一つ一つは1つ以上の前記サブキャリアを有する、命令と、
前記サブキャリア群のうちの1つの前記ユーザデバイスへの割り当てを受信するための命令と、
前記ユーザデバイスへ割り当てられた前記サブキャリア群のうちの1つに属する1つ以上のサブキャリア上のOFDMA送信を交換するための命令と
を含むユーザデバイス。
【請求項２６】
前記サブキャリア群のうちの1つの前記ユーザデバイスへの前記割り当てを受信するための情報は、複数の対応するユーザデバイスに対する前記サブキャリア群のマップを示すOFDMA物理層（PHY）プロトコルデータ単位（PPDU）を受信するための情報を含む、請求項２５に記載のユーザデバイス。
【請求項２７】
前記マップは、ユーザデバイスの定義された順序によって群を示す群IDであり、且つ前記群IDと関連付けられた前記サブキャリア群の順序をさらに含む前記群IDを含み、前記ユーザデバイスの前記定義された順序は、前記サブキャリア群の前記順序に一対一にマッピングされる、請求項２６に記載のユーザデバイス。
【請求項２８】
前記サブキャリア群のうちの1つの前記ユーザデバイスへの前記割り当てを受信するための情報は、前記ユーザデバイスと前記ユーザデバイスに割り当てられた前記サブキャリア群を示すサブキャリア群インデックスとを示す局IDを有するOFDMAマッピング情報要素（IE）を受信するための情報を含む、請求項２５に記載のユーザデバイス。
【発明の詳細な説明】
【技術分野】
【０００１】
本願は、2013年12月18日に出願された米国仮出願番号61/917,791と、2014年7月7日に出願された米国非仮特許出願番号14/325,136との利益を主張し、ここでは、その全体が再現されるかのように参照によって本明細書に組み込まれる。
本発明はネットワーク通信に関し、詳細な態様においては、サブキャリア群の直交周波数分割多元接続（OFDMA）設計およびフレームフォーマットのためのシステムおよび方法に関する。
【背景技術】
【０００２】
無線ローカルエリアネットワーク（WLAN）は一般的に、無認可スペクトル帯域で動作する。これらの帯域における動作に対するルールは、競合するデバイスが利用可能なリソースを共有するとともに、媒体がビジーであると感知されたときデバイスの意図された送信を延期することを余儀なくさせる。典型的には、WLANは、全ての送信リソースが単一のデバイスに割り当てられる直交周波数分割多元（OFDM）送信フォーマットを使用する。ランダムな割り当ては一般的に、衝突回避(CSMA/CA)を有する搬送波感知多元接続を使用して達成される。CSMA/CAによってデバイスは媒体への接続を獲得し、事前に定義された期間までデータを送信し、次いで送信のために競合する他のデバイスのために媒体を手放す。対照的に、直交周波数分割多元接続(OFDMA)は、複数のユーザの送信を同時に適応させる送信および接続メカニズムである。OFDMAは一般的に、フレーム構造およびユーザのサブセット間のリソースのスケジューリングに関してタイミング情報を満たすために、認可帯域内で動作する無線インフラストラクチャで実施される。WLANでOFDMAを実施するための効果的なスキームに対するニーズが存在する。
【先行技術文献】
【特許文献】
【０００３】
【特許文献１】米国特許出願公開第２００９／０３１０６９２号明細書
【特許文献２】特開２００８−１０９０４号公報
【特許文献３】特開２００５−２４４４７号公報
【特許文献４】特開２０１３−２０１４７２号公報
【発明の概要】
【課題を解決するための手段】
【０００４】
ある態様に従うと、ネットワーク構成要素によって、無線ローカルエリアネットワーク（WLAN）における直交周波数分割多元接続（OFDMA）通信のためにユーザにサブキャリアを供給するための方法は、OFDMA送信のための複数のサブキャリアを複数のサブキャリア群に分類するステップを含む。分類およびサブキャリア群は、サブキャリアのための事前に定義された分類構造に従う。方法は、サブキャリア群を複数の対応するユーザに割り当てるステップと、対応するユーザに対するサブキャリア群のマップをユーザに通知するステップとをさらに含む。
【０００５】
別の態様に従うと、ネットワーク構成要素によって、WLANにおけるOFDMA通信のためにユーザにサブキャリアを割り当てるための方法は、サブキャリア群のための定義された、および決定論的な分類構造に従って、複数のサブキャリア群を複数局（STA）に対して確立するステップと、サブキャリア群をSTAに割り当てるステップとを含む。方法は、複数のユーザ群を確立するステップをさらに含む。ユーザ群の一つ一つがSTAの順序を表す。割り当てられたサブキャリア群はユーザ群のうちの1つのユーザ群と関連付けられる。ユーザ群による割り当てられたサブキャリア群の順序は、次いで、STAに送信される。ユーザ群のSTAの順序は割り当てられたサブキャリア群の順序に一対一にマッピングされる。
【０００６】
別の態様に従うと、WLANにおけるOFDMA通信のためにユーザにサブキャリアを供給するためのネットワーク構成要素は、プロセッサと、プロセッサによって実行するためのプログラムを記憶するコンピュータ可読記憶媒体とを有する。プログラムは、OFDMA送信のための複数のサブキャリアを複数のサブキャリア群に分類するための命令を含む。分類およびサブキャリア群の一つ一つは、サブキャリアのための事前に定義された分類構造に従う。プログラムは、サブキャリア群を複数の対応するユーザに割り当てるための命令と、対応するユーザに対するサブキャリア群のマップをユーザに通知するための命令とをさらに含む。
【０００７】
別の態様に従うと、WLANにおけるOFDMA通信をサポートするユーザデバイスによる方法は、OFDMA送信のための複数の対応するサブキャリアを分類する複数のサブキャリア群の指示を受信するステップを含む。サブキャリア群の一つ一つは1つ以上のサブキャリアを有する。方法は、サブキャリア群のうちの1つのユーザデバイスへの割り当てを受信するステップと、ユーザデバイスへ割り当てられたサブキャリア群のうちの1つに属する1つ以上のサブキャリア上のOFDMA送信を交換するステップとをさらに含む。
【０００８】
さらに別の態様に従うと、WLANにおけるOFDMA通信をサポートするユーザデバイスは、プロセッサと、プロセッサによって実行するためのプログラムを記憶するコンピュータ可読記憶媒体とを有する。プログラムは、OFDMA送信のための複数の対応するサブキャリアを分類する複数のサブキャリア群の指示を受信するための命令を含む。サブキャリア群の一つ一つは1つ以上のサブキャリアを有する。プログラムは、サブキャリア群のうちの1つのユーザデバイスへの割り当てを受信するための命令と、ユーザデバイスへ割り当てられたサブキャリア群のうちの1つに属する1つ以上のサブキャリア上のOFDMA送信を交換するための命令とをさらに含む。
【０００９】
前述では、以下に続く発明の詳細な説明がよりよく理解されることができるように、本発明の態様の特徴をより広範囲に概説した。本発明の態様の追加の特徴および利点が以下に説明され、それらは本発明の特許請求の範囲の主題を形成する。開示される概念および具体的な態様は、本発明の同じ目的を実施するために、他の構造またはプロセスを修正または設計するための基礎として容易に利用されることができることは、当業者に認識されるべきである。そのような均等な構成は、添付の特許請求の範囲に記載された発明の精神および範囲から逸脱しないこともまた、当業者によって理解されるべきである。
【図面の簡単な説明】
【００１０】
本発明、およびその利点のより十分な理解のために、ここで、添付図面と併せて以下の説明が参照される。
【００１１】
【図１】図１は、WLANの基本サービスセット(BSS)を示す。
【図２】図２は、OFDMAのユーザに対する典型的なサブキャリアの割り当ての例を示す。
【図３】図３は、サブキャリア分類の実施形態を示す。
【図４】図４は、ユーザに対してサブキャリア群を割り当てるためのOFDMA物理層（PHY）プロトコルデータ単位（PPDU）の実施形態を示す。
【図５】図５は、サブキャリア割り当てのためのOFDMAマッピングフィールドの実施形態を示す。
【図６】図６は、サブキャリア割り当てのためのOFDMAマッピング情報要素（IE）の実施形態を示す。
【図７】図７は、OFDMA WLANにおいて、サブキャリア群をユーザに割り当てるための方法の実施形態を示す。
【図８】図８は、様々な実施形態を実施するために使用されることができる処理システムの図である。
【００１２】
異なる図面における対応する数字および記号は、一般に、指示がない限り対応する部分を指す。図面は、実施形態の関連する態様を明確に示すために描かれており、必ずしも縮尺通りには描かれていない。
【発明を実施するための形態】
【００１３】
現在好ましい実施形態の作成および使用が以下で詳細に議論される。しかしながら、本発明が、多種多様な具体的な文脈で具現されることができる多くの適用可能な発明概念を提供することは認識されるべきである。議論される具体的な実施形態は、本発明を作成および使用する具体的な方法の単なる例示であり、本発明の範囲を限定するものではない。
【００１４】
本明細書では、サブキャリア群のWLAN OFDMA設計および対応するフレームフォーマットのためのシステムおよび方法の実施形態が開示される。OFDMA設計は、この目的のために設計されたフレームフォーマットを使用する、OFDMAサブキャリアの群への配置と、異なるユーザに対する群の割り当てとを含む。低オーバーヘッドの方法はまた、サブキャリアをサブキャリア群に分類することによって、サブキャリアを異なるユーザに割り当てるために含まれる。
【００１５】
図１は、アクセスポイント(AP)および1つ以上の局(STA)を含むWLANの基本サービスセット(BSS)の例を示す。APはSTAがWLANに接続およびWLANと通信することを可能にする通信デバイスである。STAはユーザまたはサブキャリアがAPおよび従ってWLANと通信することを可能にする任意のユーザ通信デバイスである。STAの例は、スマートフォン、タブレットコンピュータ、ラップトップコンピュータ、デスクトップコンピュータ、センサデバイス（例えばスマートウォッチ）およびWLAN（例えばWiFi）機能を備えた他のモバイルまたは通信デバイスを含む。
【００１６】
一般に、OFDMAシステムは、特定の帯域幅、Wメガヘルツ(MHz)のチャネルで定義された整数個のサブキャリア、Nscで構成されている。各サブキャリアは、アップリンクおよび／またはダウンリンク送信のために使用されることができるサブ範囲の帯域幅または周波数チャネルを表す。WLANにおける例では、帯域幅Wは通常20MHzに設定される。サブキャリア分離Δfは、Δf = W/Nscによって与えられる。OFDMAシンボル持続時間Tsは1/Δfによって与えられる。量NscはWLAN OFDMの実施で64に設定される。WLANへのOFDMAの導入により、Nscはより高い値に設定されてもよく、例えば、より細かい粒度を達成するために、256または512に設定されてもよい。各OFDMA送信（アップリンクまたはダウンリンク）の間、多くのサブキャリアが送信に参加するユーザの各々に割り当てられる。
【００１７】
図２は、一般的なOFDMA送信のためのユーザに対する典型的なサブキャリアの割り当ての例を示す。複数のユーザは各ユーザに多くのサブキャリアを割り当てることによって、周波数領域で多重化される。各ユーザに対するサブキャリアの割り当ては、示されるように、ランダムであってもよく、または規則的でない様式であってもよい。割り当ては、ユーザに割り当てられるサブキャリアの定義された分類ロジックなしに実行され、換言すると、ユーザのためにサブキャリアを分類するための定義された構造なしに実行される。図2に示される形態の割り当ては通常、マップと呼ばれる。マップは、どのサブキャリアがどのユーザに割り当てられているかを示すユーザの全ての考えられるSTAに伝播される必要がある。マップの大きさは、ユーザに割り当てられた全ての個々のサブキャリアが、割り当てられたシンボル持続時間のためのマップ内で明示的に表される必要があるため、システムパラメータに応じて大きくなることができる。
【００１８】
OFDMAにおいてサブキャリアを割り当てるためのより効率的な構成は、マップの送信に関するオーバーヘッドを低減する構成である。実施形態では、効率的な形態でユーザに対するサブキャリアの構造化された割り当てを提供することによって、これが達成されることができる。これは、定義された構造によって、サブキャリアを群に分類することによって達成される。図３は、それぞれの構造310および320に応じてサブキャリアを分類するための2つの実施形態を示す。構造310では、それぞれのユーザに割り当てられる各群は、複数の連続サブキャリアを含む。群は等しい数のサブキャリアを含むか（例えば、示されるように各群に3個のサブキャリア）、またはネットワークによって決定されるように異なる量のサブキャリアを含んでもよい。構造320では、それぞれのユーザに割り当てられる各群は、利用可能なサブキャリアのスペクトル内で分散した複数のサブキャリアを含む。サブキャリアの選択は、いくつかの分布関数またはいくつかの決定論的な基準に基づくことができる。サブキャリアは、サブキャリアの固定オフセットによって分散してもよい（群のサブキャリア間の距離は固定されている）。群はまた、ネットワークによって決定されるように、等しい数のサブキャリアを含んでもよく、または異なる数のサブキャリアを含んでもよい。構造310および320に基づくサブキャリアの分類は、ランダムではないが、任意の適切な決定論的な基準に従って事前定義されている。決定論的という用語は、本明細書では、サブキャリアのユーザのためのサブキャリア群への非ランダムな分類手法を指すために使用される。さらに、WLANにおけるAPは、サブキャリアを異なるサブキャリア群に割り当てることに対して責任がある。実施形態では、この割り当ては、機能要素における関連するSTAに伝達される。
【００１９】
構造化されたサブキャリア分類によって、サブキャリアのユーザへの割り当ては、事前定義された群において行われることができる。このように、群インデックスは各サブキャリアの明示的な割り当てではなくユーザ（STA）に伝達される。図４はこの割り当ての実施形態を示す。具体的には、OFDMA物理層（PHY）プロトコルデータ単位（PPDU）400はサブキャリア群をユーザに割り当てるために使用される。OFDMA PPDU 400は、WLAN APから考えられるSTAに送信される。例えば、STA 1はサブキャリア群1に割り当てられ、STA 2はサブキャリア群2に割り当てられる、等である。サブキャリア群は上述の構造310または320と同様の構造、または他の適切な事前定義された構造を有することができる。OFDMA PPDU 400はOFDMA PPDU 400のデータ部分410に先行する2つのタイプのプリアンブルを有する。データ部分410は、STAにデータを搬送し、データ量がデータ部分の最大サイズよりも小さい場合にパディングされることができる。最大フレーム長は、WLANにおける、APによって、またはOFDMAリソースを管理するためのOFDMA調整機能（OCF）によって決定される。
【００２０】
第１プリアンブル401は、OFDMA送信に参加することができないレガシーWLANユーザを偽装するために使用されることができるレガシープリアンブルである。レガシーという用語は、本明細書では、OFDMA送信をサポートしていない通信、またはユーザに関する通信を示すために使用される。このようなユーザはOFDMA送信の持続時間の間沈黙を維持する必要がある。この沈黙期間は、レガシープリアンブルのレガシー信号フィールド（L-SIG）に示される。レガシープリアンブルは、一般に非高スループット（非HT）フォーマットと呼ばれるWLANフォーマットで送信される。レガシープリアンブルはまた、それぞれユーザのデータ部分の同期およびチャネル推定のために使用されることができる、レガシー・ショート・トレーニング・フィールド（L-STF）およびレガシー・ロング・トレーニング・フィールド（L-LTF）を含む。複数のストリームがある場合、ストリームの数に応じて、プリアンブルの後に、より多くのLTFを追加する必要がある。
【００２１】
データ部分410のフォーマットは、OFDMフレームのレガシーデータ部分のサイズとは異なることができ、例えば、データ部分410のための高速フーリエ変換（FFT）フレームサイズはレガシーOFDMフレームデータ部分の高速フーリエ変換（FFT）フレームサイズよりも大きくてもよい。この場合、LTFのために、すなわちトレーニングシーケンスのために、全てのサブキャリア（一つのOFDMAシンボルに対応する）を使用する必要はない。OFDMA PPDU 400におけるトレーニングシーケンスの数が、OFDMAシンボルのための合計のサブキャリアサイズよりも小さい場合、OFDMAシンボル全体のためのチャネル推定を得るために補間が適用されてもよい。この場合、トレーニングシーケンス間のダウンリンク／アップリンクマップを含む、重要なOFDMA物理層（PHY）パラメータは、OFDMA PPDUのための特定の信号（SIG）フィールドを有することなく搬送されることができる。
【００２２】
OFDMA PPDU 400の第2プリアンブル402はOFDMAプリアンブルである。OFDMAプリアンブルは現在の送信に関連するパラメータを含む。これらのパラメータは、符号化タイプ、変調および符号化方式（MCS）、フレーム長および場合によっては他のパラメータを含む。STFおよびLTFは、それぞれ、ユーザのデータ部分の同期およびチャネル推定のために使用されることができる。第2プリアンブル402（OFDMAプリアンブル）におけるOFDMA SIGは、2つのセグメント、SIG AおよびSIG Bに分割されてもよい。セグメントSIG Aは、OFDMA送信に関連する一般的な情報を含み、一方でSIG Bは各特定のユーザに関連する情報を含む。SIGはまた、ユーザに対するサブキャリア群のマッピングを搬送する。
【００２３】
実施形態では、ユーザとサブキャリア群との間のマッピング情報を搬送するためのオーバーヘッドを効率的に低減するために、複数のユーザ群が形成され、ここで各ユーザ群は最大数のユーザ,Nを含む。事前定義されたサブキャリア群の数はまた、Nと等しくされる。各ユーザ群に対して、各ユーザはN個のサブキャリア群の割り当てられた1つであることができる。さらに、ユーザは、トラフィック要件に基づいて、単一のユーザに対する複数のサブキャリア群の割り当てを可能にするために、ユーザ群内で複数回現れてもよい。各ユーザ群は、群識別子（GrpID）によって識別される。GrpIDは、単一のOFDMA送信に参加することができる最大数のユーザを可能にするような、OFDMA設計パラメータを満たすために、十分な長さ（例えば、ビット数で）を有する必要がある。例えば、ビットにおけるGrpIDのサイズは、ユーザ群ごとに4または8の最大ユーザを可能にするように定義される。
【００２４】
図５は、サブキャリア割り当てのためのOFDMAマッピングフィールド、具体的にはユーザ群（GrpIDを使用する）とサブキャリア群との間のOFDMAマッピングフィールドの実施形態を示す。OFDMAマッピングフィールドは、図４で示されるようなOFDMA PPDUの（SIGフィールドにおける）OFDMAプリアンブルの一部であることができるとともに、GrpIDサブフィールドと1つ以上のサブキャリア群（SCG）インデックスで構成される。OFDMAマッピングフィールドにおけるSCGインデックスの数は、GrpIDに関連付けられているユーザの数に等しい。GrpIDの事前の知識およびGrpIDに対応するユーザ群におけるユーザの位置は、どのサブキャリア群がどのユーザに割り当てられているか示すのに十分である。GrpIDの値は、マッピングフィールドを受信するユーザが、関連するユーザ群を決定することを可能にし、従ってその群内のユーザの順序を決定することを可能にする。マッピングフィールドにおけるサブキャリア群(SCG1, SCGr ,…, SCGs)のその後の順序は、GrpIDの値によって示される群におけるユーザとのサブキャリア群のマッピングを提供し、ここで、示されるサブキャリア群の数は、示される群におけるユーザの数に等しい。マッピングは従って、群におけるユーザの順序間の一対一のマッピングであり、示されるサブキャリア群の順序が使用される。マップ送信に関連するオーバーヘッドにおける節約に加え、このマッピング手法は、OFDMA送信ごとにGrpIDによって示されるため、ユーザの異なる群の選択を可能にする。
【００２５】
図６は、サブキャリア割り当てのためのOFDMAマッピング情報要素（IE）を使用する別のマッピング手法の実施形態を示す。この手法では、マッピング情報の送信は、示されるようにIEを定義することによって管理フレームを使用して行われることができる。OFDMAマッピングIEは、STA ID（またはユーザID）をサブキャリア群インデックスと関連付ける。STA IDは、MACアドレスまたは関連付けの間APによってSTAに割り当てられたアソシエーションID（AID）であることができる。IEはマッピングのために必要とされるよりも多くのビットを有してもよいため、変調および符号化情報のような他のサブキャリア情報もまた、IEに含まれてもよい。より多くの情報がこの手法を使用して転送されることができる間、OFDMA TXOPに参加するユーザはTXOPの間中、ユーザの固定セットに制限されてもよい。
【００２６】
図７は、OFDMA WLANにおいて、サブキャリア群をユーザに割り当てるための方法700の実施形態を示す。ステップ710で、WLANのAPまたはアクセスコントローラ(AC)は決定論的な分類構造に従って、複数のサブキャリア群を複数の対応するSTAに対して確立する。例えば、サブキャリアの利用可能な帯域幅（例えば、20MHz）における複数の連続サブキャリアは、例えば上述の構造310と同様に、ユーザに対応する各群に対して指定される。あるいは、各STAに対して、連続サブキャリアがSTAに割り当てられていないような帯域幅においてサブキャリアは分布する。ステップ720で、OFDMA PHY PPDUのデータ部分におけるSTAに（図４に示されるように）、例えばAPによって、OFDMAマッピングフィールドを使用して（図５に示されるように）、OFDMAマッピングIEを使用して（図６に示されるように）、またはサブキャリア群をユーザにマッピングする他の適切な手段を使用して、割り当てが通知される。OFDMA PHY PPDUのデータ部分を使用する場合、STAとSCGとの間のマッピングは明白であることができる。OFDMAマッピングフィールドを使用する場合、マッピングは上述のように、ユーザ群IDとSCGの順序との間である。OFDMAマッピングIEを使用する場合、STA IDとサブキャリア群インデックスとを知らせることによって、各ユーザSTAは事前定義されたサブキャリア群に明白にマッピングされる。STAまたはユーザデバイスが割り当てを受信するとき、STAはどのサブキャリア群がSTAに割り当てられるか決定するためにこの情報を使用することができ、従って、OFDMA通信を交換するためにそのサブキャリア群に属するサブキャリアを決定することができる。
【００２７】
図８は、様々な実施形態を実施するために使用されることができる処理システム800のブロック図である。 例えば、処理システム800は、WLANにおけるAP、STAまたはACの一部であることができる。特定のデバイスは示される構成要素の全てを利用してもよく、または構成要素のサブセットのみを利用してもよく、且つ統合のレベルはデバイスからデバイスで変化してもよい。さらに、デバイスは複数の処理ユニット、プロセッサ、メモリ、送信機、受信機などの構成要素の複数のインスタンスを含んでもよい。処理システム800は、スピーカ、マイクロフォン、マウス、タッチスクリーン、キーパッド、キーボード、プリンタ、ディスプレイ等の1つ以上の入力／出力デバイスに備えられた処理ユニット801を有してもよい。処理ユニット801は、バスに接続された中央処理装置（CPU）810、メモリ820、大容量記憶装置830、ビデオアダプタ840および入出力インタフェース860を含んでもよい。バスは、メモリバスまたはメモリコントローラ、周辺バス、ビデオバス等を含むいくつかのバスアーキテクチャの1つ以上の任意のタイプであってもよい。
【００２８】
CPU810は任意のタイプの電子データプロセッサを有してもよい。メモリ820はスタティック・ランダム・アクセス・メモリ（SRAM）、ダイナミック・ランダム・アクセス・メモリ（DRAM）、シンクロナスDRAM（SDRAM）、読み出し専用メモリ（ROM）、それらの組み合わせ等の任意のタイプのシステムメモリを有してもよい。実施形態では、メモリ820はブートアップ時の使用のためのROM、およびプログラム実行中の使用のためのプログラムおよびデータ記憶のためのDRAMを含んでもよい。実施形態では、メモリ820は非一時的である。大容量記憶装置830は、データ、プログラムおよびその他の情報を記憶するように構成されるとともに、データ、プログラムおよびその他の情報をバスを介してアクセス可能にするように構成される任意のタイプの記憶装置を有してもよい。大容量記憶装置830は、例えば、ソリッド・ステート・ドライブ、ハード・ディスク・ドライブ、磁気ディスクドライブ、光ディスクドライブなどのうち1つ以上を有してもよい。
【００２９】
ビデオアダプタ840および入出力インタフェース860は、外部入出力デバイスを処理ユニットに結合するためのインタフェースを提供する。 図示されるように、入出力デバイスの例はビデオアダプタ840に結合されたディスプレイ890と、入出力インタフェース860に結合されたマウス／キーボード／プリンタ870の任意の組み合わせを含む。他のデバイスは処理ユニット801に結合されてもよく、且つ追加のまたはより少ないインタフェースカードが利用されてもよい。例えば、シリアル・インタフェース・カード（図示せず）は、プリンタのシリアルインタフェースを提供するために使用されてもよい。
【００３０】
処理ユニット801はまた、イーサネット（登録商標）ケーブル等の有線リンク、および／またはノードまたは1つ以上のネットワーク880にアクセスするための無線リンクを有してもよい1つ以上のネットワークインタフェース850を含む。ネットワークインタフェース850は処理ユニット801が、ネットワーク880を介して遠隔ユニットと通信することを可能にする。例えば、ネットワークインタフェース850は、1つ以上の送信機／送信アンテナおよび1つ以上の受信機／受信アンテナを介して無線通信を提供してもよい。実施形態では、処理ユニット801は、他の処理ユニット、インターネット、遠隔記憶ファシリティ等の、遠隔デバイスとのデータ処理および通信のためのローカルエリアネットワークまたはワイドエリアネットワークに結合される。
【００３１】
いくつかの実施形態が本開示において提供された一方で、開示されたシステムおよび方法は、本開示の精神または範囲を逸脱することなく多くの他の具体的な形態において具現され得ることは理解されるべきである。本実施例は、例示であって限定的なものではないと考えられるべきであり、意図は、本明細書で与えられる詳細に限定されるものではない。例えば、様々な要素または構成要素が別のシステムに結合されるかまたは統合されることができ、または、ある特徴は省略されるか、実施されなくてもよい。
【００３２】
加えて、分離または別個のものとして様々な実施形態で記載および例示される技術、システム、サブシステム及び方法は、本開示の範囲を逸脱することなく他のシステム、モジュール、技術または方法に結合されるか統合されてもよい。結合または直接結合された、または互いに通信するように示されたまたは議論された他の項目は、間接的に結合されるか、または電気的、機械的または他の方法でいくつかのインタフェース、デバイスまたは中間構成要素を介して通信してもよい。変更、置換および改変の他の例は、当業者によって確認可能であるとともに、本明細書で開示される精神および範囲を逸脱すことなく行われることができる。
【符号の説明】
【００３３】
820    メモリ
830    大容量記憶装置
840    ビデオアダプタ
850    ネットワークインタフェース
860    入出力インタフェース
870    マウス/キーボード/プリンタ
880    ネットワーク
890    ディスプレイ
【図１】
2019080316.tif 000002
【図２】
2019080316.tif 000003
【図３】
2019080316.tif 000004
【図４】
2019080316.tif 000005
【図５】
2019080316.tif 000006
【図６】
2019080316.tif 000007
【図７】
2019080316.tif 000008
【図８】
2019080316.tif 000009
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
無線ローカルエリアネットワーク（WLAN）における直交周波数分割多元接続（OFDMA ）通信のためのネットワーク構成要素による方法であって、前記方法は、
特定の帯域幅のチャネルにおけるOFDMA 通信のためのサブキャリア群とSTA とのマップを、STA に通知するステップ
を含み、
前記サブキャリア群は、特定の帯域幅の前記チャネルにおける前記サブキャリアに対する予め定義された決定論的な分類構造に従い、各STA は、STA IDとサブキャリア群インデックスとを通知することによって、予め定義されたサブキャリア群に明白にマッピングされる、方法。
【請求項２】
前記予め定義された決定論的な分類構造の少なくとも一部に従って、前記サブキャリア群の各々は、複数の連続サブキャリアを含み、または、前記サブキャリア群の各々には連続サブキャリアが存在せず、または、前記サブキャリア群のうちの少なくとも１つは、連続サブキャリアと非連続サブキャリアとの組み合わせを含む、請求項１に記載の方法。
【請求項３】
前記予め定義された決定論的な分類構造の少なくとも一部に従って、前記サブキャリア群の各々は、等しい数のサブキャリアを含む、請求項１または２に記載の方法。
【請求項４】
前記予め定義された決定論的な分類構造の少なくとも一部に従って、前記サブキャリア群のうちの少なくともいくつかは、異なる量のサブキャリアを含む、請求項１または２に記載の方法。
【請求項５】
前記STA IDは、MACアドレス、または、関連付けの間APによって前記STA に割り当てられたアソシエーションID（AID）である、請求項１乃至４の何れか一項に記載の方法。
【請求項６】
前記マップは、OFDMA マッピングIEを使用することによって通知され、前記OFDMA マッピングIEは、変調および符号化情報を更に含む、請求項１乃至５の何れか一項に記載の方法。
【請求項７】
無線ローカルエリアネットワーク（WLAN）における直交周波数分割多元接続（OFDMA ）通信のための通信装置であって、前記通信装置は、
プロセッサと、
前記プロセッサによる実行のためのプログラムを記憶するコンピュータ可読記憶媒体と
を有し、前記プログラムは、
特定の帯域幅のチャネルにおけるOFDMA 通信のためのサブキャリア群とSTA とのマップを、STA に通知するステップ
を実行するための命令を含み、
前記サブキャリア群は、特定の帯域幅の前記チャネルにおける前記サブキャリアに対する予め定義された決定論的な分類構造に従い、各STA は、STA IDとサブキャリア群インデックスとを通知することによって、予め定義されたサブキャリア群に明白にマッピングされる、通信装置。
【請求項８】
前記予め定義された決定論的な分類構造の少なくとも一部に従って、前記サブキャリア群の各々は、複数の連続サブキャリア、複数の非連続サブキャリア、または、決定論的な構造に従う連続サブキャリアと非連続サブキャリアとの組み合わせを含む、請求項７に記載の装置。
【請求項９】
前記予め定義された決定論的な分類構造の少なくとも一部に従って、前記サブキャリア群の各々は、等しい数のサブキャリアを含む、請求項７または８に記載の装置。
【請求項１０】
前記予め定義された決定論的な分類構造の少なくとも一部に従って、前記サブキャリア群のうちの少なくともいくつかは、異なる量のサブキャリアを含む、請求項７または８に記載の装置。
【請求項１１】
前記STA IDは、MACアドレス、または、関連付けの間APによって前記STA に割り当てられたアソシエーションID（AID）である、請求項７乃至１０の何れか一項に記載の装置。
【請求項１２】
前記マップは、OFDMA マッピングIEを使用することによって通知され、前記OFDMA マッピングIEは、変調および符号化情報を更に含む、請求項７乃至１１の何れか一項に記載の装置。
【請求項１３】
無線ローカルエリアネットワーク（WLAN）における直交周波数分割多元接続（OFDMA ）通信をサポートするユーザデバイスによる方法であって、前記方法は、
特定の帯域幅のチャネルにおけるOFDMA 通信のためのサブキャリア群とSTA とのマップを受信するステップ
を含み、
前記サブキャリア群は、特定の帯域幅の前記チャネルにおける前記サブキャリアに対する予め定義された決定論的な分類構造に従い、各STA は、STA IDとサブキャリア群インデックスとを通知することによって、予め定義されたサブキャリア群に明白にマッピングされる、方法。
【請求項１４】
前記予め定義された決定論的な分類構造の少なくとも一部に従って、前記サブキャリア群の各々は、複数の連続サブキャリアを含み、または、前記サブキャリア群の各々には連続サブキャリアが存在せず、または、前記サブキャリア群のうちの少なくとも１つは、連続サブキャリアと非連続サブキャリアとの組み合わせを含む、請求項１３に記載の方法。
【請求項１５】
前記予め定義された決定論的な分類構造の少なくとも一部に従って、前記サブキャリア群の各々は、等しい数のサブキャリアを含む、請求項１３または１４に記載の方法。
【請求項１６】
前記予め定義された分類構造の少なくとも一部に従って、前記サブキャリア群のうちの少なくともいくつかは、異なる量のサブキャリアを含む、請求項１３または１４に記載の方法。
【請求項１７】
前記STA IDは、MACアドレス、または、関連付けの間APによって前記STA に割り当てられたアソシエーションID（AID）である、請求項１３乃至１６の何れか一項に記載の方法。
【請求項１８】
前記マップは、OFDMA マッピングIEを使用することによって通知され、前記OFDMA マッピングIEは、変調および符号化情報を更に含む、請求項１３乃至１６の何れか一項に記載の方法。
【請求項１９】
無線ローカルエリアネットワーク（WLAN）における直交周波数分割多元接続（OFDMA ）通信をサポートする通信装置であって、前記装置は、
プロセッサと、
前記プロセッサによる実行のためのプログラムを記憶するコンピュータ可読記憶媒体と
を有し、前記プログラムは、
特定の帯域幅のチャネルにおけるOFDMA 通信のためのサブキャリア群とSTA とのマップを受信するステップであって、前記サブキャリア群は、特定の帯域幅の前記チャネルにおける前記サブキャリアに対する予め定義された決定論的な分類構造に従い、各STA は、STA IDとサブキャリア群インデックスとを通知することによって、予め定義されたサブキャリア群に明白にマッピングされる、ステップと、
ユーザデバイスに割り当てられた前記サブキャリア群のうちの１つに属する１または２以上のサブキャリア上でOFDMA 送信を交換するステップと
を実行するための命令を含む、通信装置。
【請求項２０】
前記予め定義された決定論的な分類構造の少なくとも一部に従って、前記サブキャリア群の各々は、複数の連続サブキャリアを含み、または、前記サブキャリア群の各々には連続サブキャリアが存在せず、または、前記サブキャリア群のうちの少なくとも１つは、連続サブキャリアと非連続サブキャリアとの組み合わせを含む、請求項１９に記載の装置。
【請求項２１】
前記予め定義された決定論的な分類構造の少なくとも一部に従って、前記サブキャリア群の各々は、等しい数のサブキャリアを含む、請求項１９または２０に記載の装置。
【請求項２２】
前記予め定義された分類構造の少なくとも一部に従って、前記サブキャリア群のうちの少なくともいくつかは、異なる量のサブキャリアを含む、請求項１９または２０に記載の装置。
【請求項２３】
前記STA IDは、MACアドレス、または、関連付けの間APによって前記STA に割り当てられたアソシエーションID（AID）である、請求項１９乃至２２の何れか一項に記載の装置。
【請求項２４】
前記マップは、OFDMA マッピングIEを使用することによって通知され、前記OFDMA マッピングIEは、変調および符号化情報を更に含む、請求項１９乃至２３の何れか一項に記載の装置。
【手続補正２】
【補正対象書類名】明細書
【補正対象項目名】００３２
【補正方法】変更
【補正の内容】
【００３２】
加えて、分離または別個のものとして様々な実施形態で記載および例示される技術、システム、サブシステム及び方法は、本開示の範囲を逸脱することなく他のシステム、モジュール、技術または方法に結合されるか統合されてもよい。結合または直接結合された、または互いに通信するように示されたまたは議論された他の項目は、間接的に結合されるか、または電気的、機械的または他の方法でいくつかのインタフェース、デバイスまたは中間構成要素を介して通信してもよい。変更、置換および改変の他の例は、当業者によって確認可能であるとともに、本明細書で開示される精神および範囲を逸脱すことなく行われることができる。
元の出願であるPCT/US2014/070534 および日本語版である特願２０１６−５３８８３１に基づいて、以下の実施形態が開示される。
〔請求項１〕
ネットワーク構成要素によって、無線ローカルエリアネットワーク（WLAN）における直交周波数分割多元接続（OFDMA）通信のためにユーザにサブキャリアを供給するための方法であって、前記方法は、
OFDMA送信のための複数のサブキャリアを複数のサブキャリア群に分類するステップであって、前記分類および前記サブキャリア群は、サブキャリアのための事前に定義された分類構造に従う、ステップと、
前記サブキャリア群を複数の対応するユーザに割り当てるステップと、
前記対応するユーザに対する前記サブキャリア群のマップを前記ユーザに通知するステップと
を含む方法。
〔請求項２〕
前記事前に定義された分類構造によると、前記サブキャリア群の一つ一つは複数の連続サブキャリアを含む、請求項１に記載の方法。
〔請求項３〕
前記事前に定義された分類構造によると、前記サブキャリア群の一つ一つには連続サブキャリアがない、請求項１に記載の方法。
〔請求項４〕
前記事前に定義された分類構造によると、前記サブキャリア群のうちの少なくとも１つは、決定論的な構造に従って連続サブキャリアと不連続サブキャリアとの組み合わせを含む、請求項１に記載の方法。
〔請求項５〕
前記事前に定義された分類構造によると、前記サブキャリア群の一つ一つは、同じ数のサブキャリアを含む、請求項１に記載の方法。
〔請求項６〕
前記事前に定義された分類構造によると、前記サブキャリア群の少なくともいくつかは、異なる数のサブキャリアを含む、請求項１に記載の方法。
〔請求項７〕
前記事前に定義された分類構造によると、前記サブキャリア群の一つ一つにおける前記サブキャリアは、同じ数の他のサブキャリアによって埋め合わせられる、請求項１に記載の方法。
〔請求項８〕
前記マップは、OFDMA通信を使用しないユーザを沈黙させるように構成された第１プリアンブル部分、前記マップを示すOFDMAプリアンブル部分およびデータ部分を有するOFDMA物理層（PHY）プロトコルデータ単位（PPDU）を使用して通知される、請求項１に記載の方法。
〔請求項９〕
前記データ部分は、前記WLANにおけるアクセスポイント（AP）またはOFDMAリソースを管理するためのOFDMA調整機能（OCF）によって決定される最大長を有し、前記データ部分は任意でパディングを含む、請求項８に記載の方法。
〔請求項１０〕
前記OFDMAプリアンブルは、前記対応するユーザに対する前記サブキャリア群の前記マップを示す信号（SIG）フィールドと、同期情報を提供するショートトレーニングフィールド（STF）と、チャネル推定情報を提供するロングトレーニングフィールド（LTF）とを有する、請求項８に記載の方法。
〔請求項１１〕
前記SIGフィールドは、前記ユーザの定義された順序によって群を示す群IDであり、且つ前記群IDと関連付けられたサブキャリア群の順序をさらに示す前記群IDを含む、OFDMAマッピングフィールドを有し、前記ユーザの前記定義された順序は、サブキャリア群の前記順序に一対一にマッピングされる、請求項１０に記載の方法。
〔請求項１２〕
前記第１プリアンブルは、前記OFDMAプリアンブルとは異なる高速フーリエ変換（FFT）フレームサイズを有する、請求項８に記載の方法。
〔請求項１３〕
前記マップは、前記ユーザ、前記ユーザの１つに割り当てられた前記サブキャリア群を示すサブキャリア群インデックスおよび任意でサブキャリア変調および符号化情報のうちの１つを示す局IDを有するOFDMAマッピング情報要素（IE）を使用して通知される、請求項１に記載の方法。
〔請求項１４〕
前記サブキャリアを前記サブキャリア群に分類するステップは、
前記サブキャリアを前記サブキャリア群に割り当てるステップと、
前記サブキャリアの前記割り当てを能力要素内の前記ユーザに伝達するステップと
を含む、請求項１に記載の方法。
〔請求項１５〕
ネットワーク構成要素によって、無線ローカルエリアネットワーク（WLAN）における直交周波数分割多元接続（OFDMA）通信のためにユーザにサブキャリアを割り当てるための方法であって、前記方法は、
サブキャリア群のための定義された、および決定論的な分類構造に従って、複数のサブキャリア群を複数局（STA）に対して確立するステップと、
前記サブキャリア群を前記STAに割り当てるステップと、
複数のユーザ群を確立するステップであって、前記ユーザ群の一つ一つが前記STAの順序を表す、ステップと、
前記割り当てられたサブキャリア群を前記ユーザ群のうちの1つのユーザ群と関連付けるステップと、
前記ユーザ群による前記割り当てられたサブキャリア群の順序を前記STAに送信するステップであって、前記ユーザ群の前記STAの前記順序は前記割り当てられたサブキャリア群の前記順序に一対一にマッピングされる、ステップと
を有する、方法。
〔請求項１６〕
前記ユーザ群の一つ一つは、最大数のSTAまで含み、前記最大数のSTAは前記サブキャリア群の合計数と等しい、請求項１５に記載の方法。
〔請求項１７〕
前記STAの前記順序は、同じSTAの複数の出現を含む、請求項１５に記載の方法。
〔請求項１８〕
無線ローカルエリアネットワーク（WLAN）における直交周波数分割多元接続（OFDMA）通信のためにユーザにサブキャリアを供給するためのネットワーク構成要素であって、前記ネットワーク構成要素は、
プロセッサと、
前記プロセッサによって実行するためのプログラムを記憶するコンピュータ可読記憶媒体と
を有し、前記プログラムは、
OFDMA送信のための複数のサブキャリアを複数のサブキャリア群に分類するための命令であって、前記分類および前記サブキャリア群の一つ一つは、サブキャリアのための事前に定義された分類構造に従う、命令と、
前記サブキャリア群を複数の対応するユーザに割り当てるための命令と、
前記対応するユーザに対する前記サブキャリア群のマップを前記ユーザに通知するための命令と
を含む、ネットワーク構成要素。
〔請求項１９〕
前記事前に定義された分類構造によると、前記サブキャリア群の一つ一つは複数の連続サブキャリア、複数の不連続サブキャリアまたは決定論的な構造に従って連続サブキャリアと不連続サブキャリアとの組み合わせを含む、請求項１８に記載のネットワーク構成要素。
〔請求項２０〕
前記プログラムは、
複数のユーザ群を確立するための命令であって、前記ユーザ群の一つ一つが前記ユーザの順序を表す、命令と、
前記割り当てられたサブキャリア群を前記ユーザ群のうちの1つのユーザ群と関連付けるための命令と
をさらに含み、
前記対応するユーザに対する前記サブキャリア群の前記マップは、前記ユーザ群と前記割り当てられたサブキャリア群の順序とを示す群IDを含み、前記ユーザ群の前記ユーザの前記順序は、前記割り当てられたサブキャリア群の前記順序に一対一にマッピングされる、
請求項１８に記載のネットワーク構成要素。
〔請求項２１〕
無線ローカルエリアネットワーク（WLAN）における直交周波数分割多元接続（OFDMA）通信をサポートするユーザデバイスによる方法であって、前記方法は、
OFDMA送信のための複数の対応するサブキャリアを分類する複数のサブキャリア群の指示を受信するステップであって、前記サブキャリア群の一つ一つは1つ以上の前記サブキャリアを有する、ステップと、
前記サブキャリア群のうちの1つの前記ユーザデバイスへの割り当てを受信するステップと、
前記ユーザデバイスへ割り当てられた前記サブキャリア群のうちの1つに属する1つ以上のサブキャリア上のOFDMA送信を交換するステップと
を含む方法。
〔請求項２２〕
前記サブキャリア群のうちの1つの前記ユーザデバイスへの前記割り当てを受信するステップは、複数の対応するユーザデバイスに対する前記サブキャリア群のマップを示すOFDMAプリアンブル部分を有するOFDMA物理層（PHY）プロトコルデータ単位（PPDU）を受信するステップを含む、請求項２１に記載の方法。
〔請求項２３〕
前記OFDMA PPDUは、ユーザデバイスの定義された順序によって群を示す群IDであり、且つ前記群IDと関連付けられた前記サブキャリア群の順序をさらに示す前記群IDを含む、OFDMAマッピングフィールドを有し、前記ユーザデバイスの前記定義された順序は、前記サブキャリア群の前記順序に一対一にマッピングされる、請求項２２に記載の方法。
〔請求項２４〕
前記サブキャリア群のうちの1つの前記ユーザデバイスへの前記割り当てを受信するステップは、前記ユーザデバイスと前記ユーザデバイスに割り当てられた前記サブキャリア群を示すサブキャリア群インデックスとを示す局IDを有するOFDMAマッピング情報要素（IE）を受信するステップを含む、請求項２１に記載の方法。
〔請求項２５〕
無線ローカルエリアネットワーク（WLAN）における直交周波数分割多元接続（OFDMA）通信をサポートするユーザデバイスであって、前記ユーザデバイスは、
プロセッサと、
前記プロセッサによって実行するためのプログラムを記憶するコンピュータ可読記憶媒体と
を有し、前記プログラムは、
OFDMA送信のための複数の対応するサブキャリアを分類する複数のサブキャリア群の指示を受信するための命令であって、前記サブキャリア群の一つ一つは1つ以上の前記サブキャリアを有する、命令と、
前記サブキャリア群のうちの1つの前記ユーザデバイスへの割り当てを受信するための命令と、
前記ユーザデバイスへ割り当てられた前記サブキャリア群のうちの1つに属する1つ以上のサブキャリア上のOFDMA送信を交換するための命令と
を含むユーザデバイス。
〔請求項２６〕
前記サブキャリア群のうちの1つの前記ユーザデバイスへの前記割り当てを受信するための情報は、複数の対応するユーザデバイスに対する前記サブキャリア群のマップを示すOFDMA物理層（PHY）プロトコルデータ単位（PPDU）を受信するための情報を含む、請求項２５に記載のユーザデバイス。
〔請求項２７〕
前記マップは、ユーザデバイスの定義された順序によって群を示す群IDであり、且つ前記群IDと関連付けられた前記サブキャリア群の順序をさらに含む前記群IDを含み、前記ユーザデバイスの前記定義された順序は、前記サブキャリア群の前記順序に一対一にマッピングされる、請求項２６に記載のユーザデバイス。
〔請求項２８〕
前記サブキャリア群のうちの1つの前記ユーザデバイスへの前記割り当てを受信するための情報は、前記ユーザデバイスと前記ユーザデバイスに割り当てられた前記サブキャリア群を示すサブキャリア群インデックスとを示す局IDを有するOFDMAマッピング情報要素（IE）を受信するための情報を含む、請求項２５に記載のユーザデバイス。
【外国語明細書】
2019080316000001.pdf